(57)【要約】  【課題】  複数の排水設備と接続された複数の排水枝管を一本に合流させて排水本管へと排水を導くための排水ヘッダーであって、複数の排水設備と接続された複数の排水枝管を一本に合流させて排水本管へと排水を導くための排水ヘッダーであって、排水枝管接続口から流入した排水の、他の排水枝管接続口への侵入を防止することのできる排水ヘッダーを提供すること。  【解決手段】    排水ヘッダーは、排水枝管から流入した排水を合流させて、本管接続口へ流出させる合流路と、この合流路の端部に設けられて排水本管と接続する本管接続口と、を備えたヘッダーの本体と、当該本体へと排水枝管を接続するための、本体側部に形成された本管接続口の中心軸より上方に中心軸が配置された複数の排水枝管接続口と、を有し、当該排水枝管接続口よりも合流路側に、他の排水枝管接続口から流入した排水の侵入を防止すべく、合流路へと流れを戻すガイド部が形成されたこと。  【選択図】  図１
2008303626.tif 000002
【特許請求の範囲】
【請求項１】
複数の排水設備と接続された複数の排水枝管を一本に合流させて排水本管へと排水を導くための排水ヘッダーであって、
前記排水ヘッダーは、排水枝管から流入した排水を合流させて、前記本管接続口へ流出させる合流路と、この合流路の端部に設けられて前記排水本管と接続する本管接続口と、を備えたヘッダーの本体と、
当該本体へと前記排水枝管を接続するための、本体側部に形成された前記本管接続口の中心軸より上方に中心軸が配置された複数の排水枝管接続口と、を有し、
前記合流路へ流入した排水が、前記排水枝管接続口へと侵入するのを防止すべく、侵入しようとする排水を前記合流路側へと流れを戻すガイド部が、前記排水枝管接続口の前記合流路側に形成されていることを特徴とする排水ヘッダー。  
【請求項２】
ガイド部は、本管接続口の中心軸よりも上方に形成されたことを特徴とする請求項１記載の排水ヘッダー。
【請求項３】
ガイド部は、本管接続口と排水本管との接続部分の内周面を排水ヘッダー内に延長させた仮想の筒の内方に突出しない位置に形成されたことを特徴とする請求項１又は２記載の排水ヘッダー。
【請求項４】
ガイド部は、排水枝管接続口の下方に形成されたことを特徴とする請求項１〜３のいずれかに記載の排水ヘッダー。
【請求項５】
合流路が円筒状の水路に形成され、ガイド部は前記円筒の中心軸よりも上方まで延びた円筒状の内面で形成されたことを特徴とする請求項１〜４のいずれかに記載の排水ヘッダー。
【発明の詳細な説明】
【技術分野】
【０００１】
この発明は、複数の排水設備と接続された複数の排水枝管を一本に合流させて排水本管へと排水を導くための排水ヘッダーの改良に関する。
【背景技術】
【０００２】
一般に、住宅やビルの排水設備においては、洗面、トイレ、洗濯、浴室、厨房などにおいて種々な排水設備が設けられている。これらの排水設備からの排水は、個々に設けられた配管から排水され、その排水は所定の場所で合流させ、より太い排水管で流させて、最終的に住宅等の外の排水管に排出される。
【０００３】
このような合流には、排水ヘッダーが用いられており、複数の排水設備と接続された複数の排水枝管を、一本に合流させて排水本管へと排水を導くようになっている。ただ排水枝管から排水ヘッダーに流入させた排水が、流入する勢いで他の排水枝管に侵入してしまうなどの不都合の生じることがある。特に排水枝管同士が対向し合う配置であれば、一方の排水枝管からの排水が、対向する他方の排水枝管に侵入し、他方の排水枝管に逆流を生じさせるなどの不都合の生じることがある。よって排水枝管から侵入しようとする排水の流れに、何らかの制御などの工夫が必要である。
【０００４】
そのため、例えば特許文献１に示すような排水用管継手３００が開示されており、図１２に示すように、継手本体３１０の側壁から分岐筒部３２０が突設されているというものである。そして、この分岐筒部３２０の中心軸ｇが継手本体３１０の中心軸Ｇよりも上方に位置していることを特徴としており、この特徴により、排水枝管から継手本体内３００に流れ込んでくる排水が、他の分岐筒部３２０から逆流するということもないとしている。
【特許文献１】特開２００３−１０５８４６公報
【発明の開示】
【発明が解決しようとする課題】
【０００５】
しかし特許文献１に示すような排水用管継手３００では、分岐筒部３２０の中心軸ｇが継手本体３１０の中心軸Ｇよりも上方に位置していても、排水がその流入の勢いにより、継手本体３１０の中心軸Ｇより上方に跳ね上がるなどして逆流する虞があった。
【０００６】
よって本願発明の目的とするところは、複数の排水設備と接続された複数の排水枝管を一本に合流させて排水本管へと排水を導くための排水ヘッダーであって、排水枝管接続口から流入した排水の、他の排水枝管接続口への侵入を防止することのできる排水ヘッダーを提供することにある。
【課題を解決するための手段】
【０００７】
以上の目的のために、本願請求項１記載の発明は、複数の排水設備と接続された複数の排水枝管を一本に合流させて排水本管へと排水を導くための排水ヘッダーであって、前記排水ヘッダーは、排水枝管から流入した排水を合流させて、前記本管接続口へ流出させる合流路と、この合流路の端部に設けられて前記排水本管と接続する本管接続口と、を備えたヘッダーの本体を有している。
また当該本体へと前記排水枝管を接続するための、本体側部に形成された前記本管接続口の中心軸より上方に中心軸が配置された複数の排水枝管接続口を有している。そして前記合流路へ流入した排水が、前記排水枝管接続口へと侵入するのを防止すべく、侵入しようとする排水を前記合流路側へと流れを戻すガイド部が、前記排水枝管接続口の前記合流路側に形成されていることを特徴としている。  
【０００８】
請求項２記載の発明は、請求項１記載の排水ヘッダーにおいて、ガイド部が、本管接続口の中心軸よりも上方に形成されたことを特徴としている。
【０００９】
請求項３記載の発明は、請求項２記載の排水ヘッダーにおいて、ガイド部が、本管接続口と排水本管との接続部分の内周面を排水ヘッダー内に延長させた仮想の筒の内方に突出しない位置に形成されたことを特徴としている。
【００１０】
請求項４記載の発明は、請求項１〜３のいずれかに記載の排水ヘッダーにおいて、ガイド部が、排水枝管接続口の下方に形成されたことを特徴としている。
【００１１】
請求項５記載の発明は、請求項１〜４のいずれかに記載の排水ヘッダーにおいて、合流路が円筒状の水路に形成され、ガイド部は前記円筒の中心軸よりも上方まで延びた円筒状の内面で形成されたことを特徴としている。
【発明の効果】
【００１２】
本願請求項１記載の発明においては、そのガイド部により、排水枝管に他の排水枝管からの排水が、侵入することを防ぐことができる。
【００１３】
請求項２記載の発明においては、ガイド部が本管接続口の中心軸よりも上方であれば、合流路の上方にも位置することとなる。また排水は一旦合流路に流入するが、侵入は、流入した勢いでその合流路から溢れるようにして他の排水枝管の接続口に届くことにより生じる。
【００１４】
つまり合流路の上方から溢れるようにして排水枝管接続口に侵入するのであるから、その合流路の上方にガイドを位置するようにすることにより、その侵入を防ぐことができる。
【００１５】
請求項３記載の発明においては、ガイド部が、本管接続口と排水本管との接続部分の内周面を排水ヘッダー内に延長させた仮想の筒の内方に突出しない位置に形成されると、本体から本管接続口へと流れてくる排水の、その流路に突出しないことにもなり、つまり排水の流れの邪魔をしないので排水がスムーズに流れることができる。
【００１６】
請求項４記載の発明においては、ガイド部が、排水枝管接続口の下方に形成されると、下方のガイド部で流れを戻すので、戻しそこねても、下方からでは排水が上がってき難く、その分、他の排水枝管の接続口に侵入することが避けやすくなる。
【００１７】
請求項５記載の発明においては、ガイド部が、前記円筒の中心軸よりも上方まで延びた円筒状の内面で形成されるので、上方まで延びた内面の合流路側への反り返った形状により、合流路から溢れようとする排水を、合流路に戻すことができる。
【発明を実施するための最良の形態】
【００１８】
次に、本願発明の排水ヘッダーの実施例を、図をもって説明する。
【００１９】
図１〜５に示すのは、実施例の排水ヘッダー１であり、枡状の本体１０と、この本体１０に排水枝管を接続するための排水枝管接続口２０と、本体１０に蓋される蓋部３０とを有している。図２〜５の排水ヘッダー１は、蓋部３０を省略してある。
【００２０】
本体１０は、その本体側部に楕円筒状の側壁１１を有し、楕円筒の上方開口による点検口１２を有し、本体１０の底部には図２に示したような半円筒状の水路が、前記楕円の長手方向に向けて形成されて合流路１３を成している。その際、本体１０の側壁１１はその下方がテーパー部１４となっていて、図６の断面図に示すように、合流路１３の両壁１３ａに連なっており、このテーパー部１４が排水を合流路１３に流すようになっている。
【００２１】
また半円筒状の合流路１３は、合流路１３の両壁１３ａが円筒の中心軸Ｇよりも上方まで延びた円筒状の内面で形成されており、そのため合流路両壁１３ａの上端側は、合流路１３の内方に僅かながらも覆い被さるような、反り返った状態になっており、この覆い被さる両壁１３ａの上端側がガイド部１５を成している。つまりこのガイド部１５により、合流路１３に合流させられた排水が合流路１３から溢れるなどする場合でも、合流路１３に流れを戻すようになっている。
【００２２】
更に合流路１３の円筒方向の両端は、合流路１３を形成している円筒とほぼ同じ直径の本管接続口１６が形成され、排水本管が接続できるようになっている。
【００２３】
また排水枝管接続口２０は、本体側部にて合流路１３に直交する向きで合流路１３よりも上方に形成されている。つまり合流路１３との高さ関係に関しては、合流路１３の両壁１３ａの上端からテーパー部１４が斜め上方に延び、そのテーパー部１４の上方に排水枝管接続口２０の下端が位置しているのである。或いは排水枝管接続口２０の本管接続口１６との高さ関係に関しては、この本管接続口１６の上端よりも上方に排水枝管接続口２０の下端が位置しているのである。要するに、排水枝管接続口２０はその下端が、合流路１３の上端よりも上方に、また本管接続口１６の上端よりも上方に位置しているのである。
【００２４】
また本体１０の外側には４本の脚部１７が設けられ、所望の設置場所にネジ締めするネジ溝１７ａが、脚部１７の下端に設けられていて、排水ヘッダー１を床下の基礎床などに固定する固定部１８を成している。
【００２５】
蓋部３０は、図７に示すように、本体１０の楕円な点検口１２に嵌められる蓋本体３１と、この蓋本体３１の周縁に設けられて本体１０の点検口１２に宛がわれるツバ部３２とを有している。そしてこのツバ部３２の外周に設けられた４箇所のネジ穴３３により、本体点検口１２の外周に設けられているネジ穴１９にネジ締めするようになっている。
【００２６】
また蓋部３０は、その下面に凸設する排水整流部３４が、合流路１３を挟んで対峙する左右の排水枝管接続口２０に挟まれる位置に、２箇所形成されている。蓋部３０の上面は、下面の排水整流部３４に対応した凹部３５になっている。この排水整流部３４は、図８〜９に示すように、底面視の略２等辺三角形を成しており、蓋をしたときには、左右の枝管接続口２０がこの三角形の２等辺の各々に向かうように形成されている。そして、排水枝管からの排水が勢いの強く、直接この排水整流部に当たる場合には、排水が図９の一点鎖線のように、三角の頂部へと流れを向けられるようになっている。従って蓋部３０は、排水整流部３４の三角形頂部が合流路１３の下流方向を向くように蓋しておくことにより、排水枝管から流れ込む排水の向きを制御している。
【００２７】
次に、本願発明の実施例の使用方法を説明する。
【００２８】
この排水ヘッダー１は、図１０に示すように複数の排水枝管１００を合流させる場所に設置するものであり、排水本管２００に排水ヘッダー１側の本管接続口１６を接続するものである。その際には図１０に示すように、排水ヘッダー１を排水本管２００の始点として接続してもよく、この場合には、合流路の他端側Ａは、何らかの方法で塞いでおくこととなる。
【００２９】
或いは、図１１に示すように排水本管２００の一部として接続してもよい。この場合には、排水ヘッダー１は、上流側の排水本管２００ａと、下流側の排水本管２００ｂとの間に介在するようにして用いられ、合流路両端の本管接続口１６は、上流側と下流側の排水本管２００ａ，２００ｂにそれぞれ接続されることとなる。本実施例では、最大で４本の排水枝管１００が接続できる。
【００３０】
排水が排水枝管１００から排水ヘッダー１の本体１０内に流されると、本体１０のテーパー部１４を伝って、合流路１３に流れる。また排水に勢いがある場合には、テーパー部１４を伝わずに、直接合流路１３に流れ落ちる。何れの場合も、流された排水が、流された勢いで合流路１３の対岸側から溢れるようにして、対岸側の排水枝管接続口２０に届いてしまい、侵入しようとする場合がある。その様な場合でも、この実施例の排水ヘッダー１では、合流路１３が円筒の水路に形成され、しかもガイド部１５が、この円筒の中心軸よりの上方まで延びた円筒状の内面で形成されているので、対岸から跳ね上がるようにして溢れる排水は、ガイド部１５で合流路１３に流れが戻され、これにより、他の排水枝管接続口２０に侵入することが防がれるようになっているのである。
【００３１】
このように、排水枝管から合流路へ流入した排水が、対向する他の排水枝管接続口へと侵入するのを防止すべく、侵入しようとする排水を合流路側へと流れを戻すガイド部が、他の排水枝管接続口の合流路側に形成されていることが特徴なのである。
【００３２】
また排水枝管１００からの排水の流れが強い場合には、直接、蓋部３０の下面に設けられた排水整流部３４に当たることがあるが、このような場合には、排水整流部３４により合流路１３の下流側に流し落とされるようになっている。このような場合でも、合流路１３に流された排水が、排水の勢いで合流路１３より上方にある排水枝管接続口２０に届こうとする事があるが、このような場合でもガイド部１５で合流路１３へと流れを戻されるので、排水枝管１００に排水が逆流することもない。
【００３３】
なお排水枝管接続口は、この実施例では、合流路に平面視直交する向きで形成されているが、合流路に対して平面視の斜めとなる向きでもよく、この場合には斜めの向かう側を合流路の下流となるように設置すればよい。
【００３４】
またガイド部も、本実施例のような合流路の円筒状の内面で形成されたものに限らず、発明の趣旨に添うものであればどのようであってもよい。
【図面の簡単な説明】
【００３５】
【図１】この図は、実施例の排水ヘッダーの斜視図である。
【図２】この図も、排水ヘッダーの下から見た斜視図であり、蓋部は省略してある。
【図３】この図は、排水ヘッダーの蓋のとった状態の平面図である。
【図４】この図は、図３の正面図である。
【図５】この図は、図３の右側面図である。
【図６】この図は、図３のＡ−Ａ断面図である。
【図７】この図は、蓋部の図であり、(ａ)は正面図、(ｂ)は左側面図、(ｃ)はＸ−Ｘ断面図である。
【図８】この図は、蓋部の排水整流部を説明する斜視図である。
【図９】この図は、蓋部の排水整流部を説明する底面図である。
【図１０】この図は、排水ヘッダー用いた配管の接続例の図である。
【図１１】この図は、排水ヘッダー用いた配管の接続例の図である。
【図１２】この図は、特許文献１の排水用管継手の図である。
【符号の説明】
【００３６】
１  排水ヘッダー
１０  本体
１１  側壁
１２  点検口
１３  合流路
１４  テーパー部
１５  ガイド部
１６  本管接続口
１８  固定部
２０  排水枝管接続口
３０  蓋部
３１  蓋本体
３２  ツバ部
３４  排水整流部
１００  排水枝管
２００  排水本管
【図１】
2008303626.tif 000003
【図２】
2008303626.tif 000004
【図３】
2008303626.tif 000005
【図４】
2008303626.tif 000006
【図５】
2008303626.tif 000007
【図６】
2008303626.tif 000008
【図７】
2008303626.tif 000009
【図８】
2008303626.tif 000010
【図９】
2008303626.tif 000011
【図１０】
2008303626.tif 000012
【図１１】
2008303626.tif 000013
【図１２】
2008303626.tif 000014